(57)【要約】【課題】  どのようなタイミングで系切換えが行われても、パケットを廃棄することなく、系切換えを行うことが可能な二重化ＡＴＭシステムを提供する。【解決手段】  回線装置１からルータ装置２，３へセルを送信する場合、回線装置１がセルを複製してＡＣＴ系及びＳＢＹ系のルータ装置の両系に対し、常に同じセルを出力する。ＡＣＴ系のルータ装置は組み立てられたパケットを分解したセルを回線装置１に送信し、ＳＢＹ系のルータ装置は組み立てられたパケットを送信せずに廃棄する。ＡＣＴ系／ＳＢＹ系の系切換え要求を行う場合、回線装置１はＴＡＧセルを挿入する。新ＡＣＴ系のルータ装置はＴＡＧセル受信後に組み立てられたパケットを分解したセルを回線装置１に送信し、それ以前のセルを廃棄する。新ＳＢＹ系のルータ装置はＴＡＧセル受信前に組み立てられたパケットを分解したセルを回線装置１に送信し、その後のセルを廃棄する。【選択図】      図１
2006060338.tif 000002
【特許請求の範囲】
【請求項１】
ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と、回線と前記現用系及び予備系のＡＴＭ装置との間で前記ＡＴＭセルを転送する回線装置とからなる二重化ＡＴＭシステムであって、
受信したＡＴＭセルを複製して前記現用系及び予備系のＡＴＭ装置の両系に同一のＡＴＭセルを送信する手段を前記回線装置に有することを特徴とする二重化ＡＴＭシステム。
【請求項２】
前記現用系と前記予備系との系切換え時に当該切換えを示すタグセルを前記現用系及び予備系のＡＴＭ装置に送信する手段を前記回線装置に含むことを特徴とする請求項１記載の二重化ＡＴＭシステム。
【請求項３】
前記タグセルの到着直後に前記系切換えを行う手段を前記現用系及び予備系のＡＴＭ装置各々に含むことを特徴とする請求項２記載の二重化ＡＴＭシステム。
【請求項４】
新しく現用系となったＡＴＭ装置は、前記タグセル受信後に組み立てられたパケットを分解したＡＴＭセルを前記回線装置に送信しかつそれ以前のＡＴＭセルを廃棄し、
新しく予備系となったＡＴＭ装置は、前記タグセル受信前に組み立てられたパケットを分解したＡＴＭセルを前記回線装置に送信しかつそれ以降のＡＴＭセルを廃棄することを特徴とする請求項２または請求項３記載の二重化ＡＴＭシステム。
【請求項５】
前記ＡＴＭ装置は、ＡＴＭルータ装置であることを特徴とする請求項１から請求項４のいずれか記載の二重化ＡＴＭシステム。
【請求項６】
ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と回線との間で前記ＡＴＭセルを転送する回線装置であって、
受信したＡＴＭセルを複製して前記現用系及び予備系のＡＴＭ装置の両系に同一のＡＴＭセルを送信する手段を有することを特徴とする回線装置。
【請求項７】
前記現用系と前記予備系との系切換え時に当該切換えを示すタグセルを前記現用系及び予備系のＡＴＭ装置に送信する手段を含むことを特徴とする請求項６記載の回線装置。
【請求項８】
ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力し、回線装置を介して回線との間で前記ＡＴＭセルが転送されるＡＴＭ装置であって、
予備系の時に前記回線装置で複製されかつ現用系の装置へ送信されるセルと同一のＡＴＭセルを受信する手段を有することを特徴とするＡＴＭ装置。
【請求項９】
前記現用系と前記予備系との系切換えを示すタグセルの受信時に当該切換えを行う手段を含むことを特徴とする請求項８記載のＡＴＭ装置。
【請求項１０】
前記系切換えを行う手段は、前記タグセルの到着直後に前記切換えを行うことを特徴とする請求項９記載のＡＴＭ装置。
【請求項１１】
新しく現用系となった時に、前記タグセル受信後に組み立てられたパケットを分解したＡＴＭセルを前記回線装置に送信しかつそれ以前のＡＴＭセルを廃棄し、
新しく予備系となった時に、前記タグセル受信前に組み立てられたパケットを分解したＡＴＭセルを前記回線装置に送信しかつそれ以降のＡＴＭセルを廃棄することを特徴とする請求項９または請求項１０記載のＡＴＭ装置。
【請求項１２】
ＡＴＭルータ装置であることを特徴とする請求項８から請求項１１のいずれか記載のＡＴＭ装置。
【請求項１３】
ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と、回線と前記現用系及び予備系のＡＴＭ装置との間で前記ＡＴＭセルを転送する回線装置とからなるシステムに用いられるＡＴＭ二重化運転方法であって、
前記回線装置側に、受信したＡＴＭセルを複製して前記現用系及び予備系のＡＴＭ装置の両系に同一のＡＴＭセルを送信するステップを有することを特徴とするＡＴＭ二重化運転方法。
【請求項１４】
前記回線装置側に、前記現用系と前記予備系との系切換え時に当該切換えを示すタグセルを前記現用系及び予備系のＡＴＭ装置に送信するステップを含むことを特徴とする請求項１３記載のＡＴＭ二重化運転方法。
【請求項１５】
前記現用系及び予備系のＡＴＭ装置各々は、前記タグセルの到着直後に前記系切換えを行うことを特徴とする請求項１４記載のＡＴＭ二重化運転方法。
【請求項１６】
新しく現用系となったＡＴＭ装置が、前記タグセル受信後に組み立てられたパケットを分解したＡＴＭセルを前記回線装置に送信しかつそれ以前のＡＴＭセルを廃棄し、
新しく予備系となったＡＴＭ装置が、前記タグセル受信前に組み立てられたパケットを分解したＡＴＭセルを前記回線装置に送信しかつそれ以降のＡＴＭセルを廃棄することを特徴とする請求項１４または請求項１５記載のＡＴＭ二重化運転方法。
【請求項１７】
前記ＡＴＭ装置が、ＡＴＭルータ装置であることを特徴とする請求項１３から請求項１６のいずれか記載のＡＴＭ二重化運転方法。
【発明の詳細な説明】
【技術分野】
【０００１】
本発明は二重化ＡＴＭシステム、回線装置、ＡＴＭ装置及びそれらに用いるＡＴＭ二重化運転方法に関し、特に入力されたＡＴＭ（Ａｓｙｎｃｈｒｏｎｏｕｓ  Ｔｒａｎｓｆｅｒ  Ｍｏｄｅ）セルを合成してパケットを生成し、生成されたパケットのヘッダ情報等から転送先を決定し、再度ＡＴＭセルに変換して出力する二重化ＡＴＭルータ装置に関する。
【背景技術】
【０００２】
ＡＴＭルータにおいては、信頼性向上のために二重化構成が採用されている。ＡＣＴ（現用）系に障害が発生した場合や保守管理の場合等には、現在のＡＣＴ系をＳＢＹ（予備）系に、現在のＳＢＹ系をＡＣＴ系にそれぞれ切換え、ＡＴＭセルの交換処理を継続することになる。このような場合、ユーザセルの損失が発生しないように、交換処理の品質を維持することが要望されている。
【０００３】
従来のＡＴＭルータ装置では、障害の発生や保守管理のためにＡＣＴ／ＳＢＹの系切換え要求を受けた場合、回線装置が切換え前の最終セルを示すＴＡＧ（タグ）セルを挿入し、ＡＣＴ系ルータ装置へ送信する。この時、回線装置はＴＡＧセル以降のＡＴＭセルをＳＢＹ系ルータ装置に送信し、ＳＢＹ系ルータ装置ではこのＡＴＭセルをバッファリングする。
【０００４】
ＡＣＴ系ルータ装置はＴＡＧセルが到着したかどうかを判別し、ＴＡＧセルであればそのまま回線装置へ折り返す。回線装置では、送信したＴＡＧセルがＡＣＴ系ルータ装置を経由して到着した時にＡＣＴ／ＳＢＹを切換え、新ＡＣＴ系ルータ装置でＡＴＭセルの送信を再開することによって、系切換えによるセルロスを防いでいる（例えば、特許文献１参照）。
【０００５】
【特許文献１】特開２００１−３３３０７７号公報
【発明の開示】
【発明が解決しようとする課題】
【０００６】
しかしながら、上述した従来のＡＴＭルータ装置では、セルのロスや順序逆転が発生しないといったセルの完全性が保障されるものの、系切換えのタイミングによってはパケットの組み立てを行うことができず、その結果、当該セルが廃棄されてしまうという問題がある。
【０００７】
例えば、Ａ，Ｂの２種類のパケットが存在し、これらを構成するセルをａ１，ａ２，ａ３，ｂ１，ｂ２，ｂ３とする。回線装置がＡＴＭルータ装置に対してａ１，ｂ１，ａ２，ａ３，ｂ２，ｂ３の順でセルを送信し、セルａ３において系切換えが要求されたとする。
【０００８】
この場合、Ａのパケットに関しては旧ＡＣＴ系ルータ装置にて組み立てることができるが、Ｂのパケットに関しては新ＡＣＴ系ルータ装置及び新ＳＢＹ系ルータ装置のどちらにおいても組み立てを行えず、ｂ１，ｂ２，ｂ３のセルは廃棄となってしまう。このように、従来のＡＴＭルータ装置では、セルの完全性が保障されているものの、パケットを組み立てることができず、セルが廃棄される場合が発生する。
【０００９】
そこで、本発明の目的は上記の問題点を解消し、どのようなタイミングで系切換えが行われても、パケットを廃棄することなく、系切換えを行うことができる二重化ＡＴＭシステム、回線装置、ＡＴＭ装置及びそれらに用いるＡＴＭ二重化運転方法を提供することにある。
【課題を解決するための手段】
【００１０】
本発明による二重化ＡＴＭシステムは、ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と、回線と前記現用系及び予備系のＡＴＭ装置との間で前記ＡＴＭセルを転送する回線装置とからなる二重化ＡＴＭシステムであって、
受信したＡＴＭセルを複製して前記現用系及び予備系のＡＴＭ装置の両系に同一のＡＴＭセルを送信する手段を前記回線装置に備えている。
【００１１】
本発明による回線装置は、ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と回線との間で前記ＡＴＭセルを転送する回線装置であって、
受信したＡＴＭセルを複製して前記現用系及び予備系のＡＴＭ装置の両系に同一のＡＴＭセルを送信する手段を備えている。
【００１２】
本発明によるＡＴＭ装置は、ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力し、回線装置を介して回線との間で前記ＡＴＭセルが転送されるＡＴＭ装置であって、
予備系の時に前記回線装置で複製されかつ現用系の装置へ送信されるセルと同一のＡＴＭセルを受信する手段を備えている。
【００１３】
本発明によるＡＴＭ二重化運転方法は、ＡＴＭ（Ａｓｙｎｃｈｒｏｎｏｕｓ  Ｔｒａｎｓｆｅｒ  Ｍｏｄｅ）セルを合成してパケットを生成し、少なくとも生成されたパケットのヘッダ情報から転送先を決定し、再度ＡＴＭセルに変換して出力する現用系及び予備系のＡＴＭ装置と、回線と前記現用系及び予備系のＡＴＭ装置との間で前記ＡＴＭセルを転送する回線装置とからなるシステムに用いられるＡＴＭ二重化運転方法であって、
前記回線装置側に、受信したＡＴＭセルを複製して前記現用系及び予備系のＡＴＭ装置の両系に同一のＡＴＭセルを送信するステップを備えている。
【００１４】
すなわち、本発明の二重化ＡＴＭシステムは、どのようなタイミングで系切換えが行われても、パケットを廃棄することなく、系切換えを行うことを可能とすることを目的としており、回線装置からルータ装置へセルを出力する際にセルを複製し、ＡＣＴ（現用）系の装置（ルータ装置）のみでなく、ＳＢＹ（予備）系の装置にもセルを出力し、各々の装置では、入力された複数のＡＴＭセルからパケットの組み立てを行うことによって、ＡＣＴ／ＳＢＹ両系でパケットの組み立てが可能となる。
【００１５】
この方法によって、本発明の二重化ＡＴＭシステムでは、どのようなタイミングでＡＣＴ系とＳＢＹ系との切換えが要求された場合においても、セルをロスすることなく、系切換えを行うことが可能となる。
【００１６】
より具体的に説明すると、本発明の二重化ＡＴＭシステムは、回線装置からＡＴＭ装置へセルを送信する場合、回線装置がセルを複製してＡＣＴ系の装置及びＳＢＹ系の装置の両系に対し、常に同じセルを出力している。
【００１７】
ＡＣＴ系の装置及びＳＢＹ系の装置の両系では、受信したＡＴＭセルを合成してパケットを生成し、生成されたパケットのヘッダ情報等から転送先を決定し、再度ＡＴＭセルに変換する。ＡＣＴ系の装置は、組み立てられたパケットを分解したＡＴＭセルを回線装置に送信し、ＳＢＹ系の装置は組み立てられたパケットを送信せずに廃棄する。
【００１８】
障害の発生や保守管理のためにＡＣＴ／ＳＢＹの系切換え要求を行う場合、回線装置はＴＡＧ（タグ）セルを挿入する。この時、従来の方法（特許文献１などに記載方法）の如く、ＡＴＭセルのバッファリングは行わない。
【００１９】
新ＡＣＴ系の装置は、ＴＡＧセル受信後に組み立てられたパケットを分解したＡＴＭセルを回線装置に送信し、それ以前のＡＴＭセルを廃棄する。新ＳＢＹ系の装置は、ＴＡＧセル受信前に組み立てられたパケットを分解したＡＴＭセルを回線装置に送信し、その後のＡＴＭセルを廃棄する。尚、系切換えは、ＴＡＧセルが各装置に到着した直後に行う。
【００２０】
この方法によって、本発明の二重化ＡＴＭシステムでは、系切換えがパケットの途中で行われても、セルをロスすることなく、確実に系切換えを行うことが可能となる。
【発明の効果】
【００２１】
本発明は、以下に述べるような構成及び動作とすることで、どのようなタイミングで系切換えが行われても、パケットを廃棄することなく、系切換えを行うことができるという効果が得られる。
【発明を実施するための最良の形態】
【００２２】
次に、本発明の実施例について図面を参照して説明する。図１は本発明の一実施例による二重化ＡＴＭルータシステムの構成を示すブロック図である。図１において、本発明の一実施例による二重化ＡＴＭルータシステムは回線装置１と、２つのルータ装置２，３とから構成されている。
【００２３】
ルータ装置２，３は二重化構成をとり、一方がＡＣＴ（現用）系、他方がＳＢＹ（予備）系となる。すなわち、ルータ装置２がＡＣＴ系の場合にはルータ装置３がＳＢＹ系となり、ルータ装置２がＳＢＹ系の場合にはルータ装置３がＡＣＴ系となる。
【００２４】
ＡＣＴ系に障害が発生した場合や保守管理の場合等には、現在のＡＣＴ系をＳＢＹ系に、現在のＳＢＹ系をＡＣＴ系にそれぞれ切換え、ＡＴＭセルの交換処理を継続する。
【００２５】
図２は図１の回線装置１の構成を示すブロック図である。図２において、回線装置１は回線送信機能１１と、回線受信機能１２と、ＡＣＴ系送信機能１３と、ＳＢＹ系送信機能１４と、ＴＡＧ（タグ）セル生成部１５と、ＡＣＴ系受信機能１６と、ＳＢＹ系受信機能１７とから構成されている。
【００２６】
回線送信機能１１はルータ装置から受信したＡＴＭセル（Ａｓｙｎｃｈｒｏｎｏｕｓ  Ｔｒａｎｓｆｅｒ  Ｍｏｄｅ）を回線ｂへ送信し、回線受信機能１２は回線ａからＡＴＭセルを受信する。ＡＣＴ系送信機能１３は回線ａから受信したＡＴＭセルを信号線ｃ，ｅを介してＡＣＴ系のルータ装置へ送信し、ＳＢＹ系送信機能１４は回線ａから受信したＡＴＭセルを複製し、複製したＡＴＭセルを信号線ｃ，ｅを介してＳＢＹ系のルータ装置へ送信する。
【００２７】
ＴＡＧセル生成部１５はＡＣＴ系に障害が発生した場合や保守管理のために系切換え要求を受けた場合、ＴＡＧセルを生成し、ＡＣＴ系送信機能１３及びＳＢＹ系送信機能１４を介してＡＣＴ系のルータ装置及びＳＢＹ系のルータ装置の両系へ送信する。ＡＣＴ系受信機能１６はＡＣＴ系のルータ装置から信号線ｄ，ｆを介してＡＴＭセルを受信し、ＳＢＹ系受信機能１７はＳＢＹ系のルータ装置から信号線ｄ，ｆを介してＡＴＭセルを受信する。
【００２８】
図３は図１のルータ装置２，３の構成を示すブロック図である。図３において、ルータ装置２，３は受信機能２１と、パケット生成機能２２と、転送先決定機能２３と、ＡＴＭセル分割機能２４と、ＡＴＭセル判断機能２５と、送信機能２６と、ＴＡＧセル検出機能２７と、系切換え制御機能２８とから構成されている。
【００２９】
受信機能２１は信号線ｃ，ｅを介して回線装置１からＡＴＭセルを受信し、パケット生成機能２２は受信機能２１で受信したＡＴＭセルを合成してパケットを生成する。転送先決定機能２３はパケット生成機能２２で生成されたパケットのヘッダ情報等から転送先を決定し、ＡＴＭセル分割機能２４はパケット生成機能２２で生成されたパケットを再度ＡＴＭセルに分割する。
【００３０】
ＡＴＭセル判断機能２５はＡＴＭセル分割機能２４で分割されたＡＴＭセルを回線装置１へ送信するか否かを判断し、送信機能２６はＡＴＭセル判断機能２５の判断結果を基に信号線ｄ，ｆを介してＡＴＭセルを回線装置１へ送信するか、あるいは廃棄する。ＴＡＧセル検出機能２７は受信機能２１で受信したセルがＴＡＧセルかどうかを判断し、系切換え制御機能２８はＴＡＧセルを検出して系切換えと判断すると、ＴＡＧセルの到着直後に系切換えを実施し、現在のＡＣＴ系をＳＢＹ系に、現在のＳＢＹ系をＡＣＴ系にそれぞれ切換える。尚、ＴＡＧセル検出機能２７は検出したＴＡＧセルをそのまま送信機能２６から回線装置１に折り返す。
【００３１】
図４は図１の回線装置１の動作を示すフローチャートであり、図５及び図６は図１のルータ装置２，３の動作を示すフローチャートである。これら図１〜図６を参照して本発明の一実施例による二重化ＡＴＭルータシステムの運転方法について説明する。以下の説明では、ルータ装置２をＡＣＴ系とし、ルータ装置３をＳＢＹ系とする。
【００３２】
回線装置１は回線ａから受信したＡＴＭセルをＳＢＹ系送信機能１４で複製し、ＡＣＴ系送信機能１３及びＳＢＹ系送信機能１４からＡＣＴ系のルータ装置２及びＳＢＹ系のルータ装置３の両系へ同じセルを送信する（図４ステップＳ１〜Ｓ３，Ｓ８）。また、回線装置１はＡＣＴ系のルータ装置２から受信したＡＴＭセルを回線ｂへ送信する（図４ステップＳ１〜Ｓ４）。
【００３３】
ＡＣＴ系に障害が発生した場合や保守管理のために系切換え要求を受けた場合、回線装置１は送信中のセル間にＴＡＧセル生成部１５にて生成したＴＡＧセルを挿入し、ＡＣＴ系送信機能１３及びＳＢＹ系送信機能１４からＡＣＴ系のルータ装置２及びＳＢＹ系のルータ装置３の両系へ同じセルを送信する（図４ステップＳ１，Ｓ５〜Ｓ８）。この時、本実施例では従来の技術で行われているようなＡＴＭセルのバッファリングを行わない。
【００３４】
ルータ装置２，３は、ＡＣＴ系／ＳＢＹ系に関係なく、受信したＡＴＭセルを合成してパケットを生成し、生成されたパケットのヘッダ情報等から転送先を決定し、再度ＡＴＭセルに分割する（図５ステップＳ１１〜Ｓ１５）。また、ルータ装置２，３は分割したＡＴＭセルを回線装置１へ送信するか否かを判断し、通常時（系切換え前）、ＡＣＴ系のルータ装置２は回線装置１へセルを送信し（図５ステップＳ１６，Ｓ１７）、ＳＢＹ系のルータ装置３は送信せずにセルを廃棄する（図５ステップＳ１６，Ｓ１８）。
【００３５】
系切換え時、切換え前にＡＣＴ系であったルータ装置２は、ＴＡＧセルが到着する以前に組み立てられたパケットのセルを回線へ送信し、それ以外のセルを廃棄する（図６ステップＳ１９〜Ｓ２１）。
【００３６】
系切換え前にＳＢＹ系であったルータ装置３は、ＴＡＧセルが到着した以降に組み立てられたパケットのセルを回線へ送信し、それ以外のセルを廃棄する（図６ステップＡ１９，Ｓ２０，Ｓ２２）。
【００３７】
また、ルータ装置２，３は系切換えをＴＡＧセルを受信した直後に行う（図５ステップＳ１２，図６ステップＳ１９）。さらに、ルータ装置２，３は受信したＴＡＧセルをそのまま回線装置１に折り返す。
【００３８】
本実施例では、回線装置１でセルを複製し、ＡＣＴ系のルータ装置及びＳＢＹ系のルータ装置の両系に同じセルを送信することによって、従来の方法で問題となっていた系切換えのタイミングによってパケットを組み立てることができずに廃棄となってしまうということはない。
【００３９】
よって、本実施例では、上述した方法を用いることによって、どのようなタイミングでＡＣＴ系とＳＢＹ系との切換えが要求された場合においても、セルのロスや順序逆転を生じることなく、系切換えを行うことができ、また、パケットの組み立てにおいても廃棄されることがないので、確実に系切換えを行うＡＴＭルータ二重化運転方法を実現することができる。
【００４０】
このように、本実施例では、どのようなタイミングでＡＣＴ系とＳＢＹ系との切換えが要求された場合においても、セルのロスや順序逆転を生じることなく、系切換えを行うことができる。
【００４１】
また、本実施例では、パケットの組み立てにおいても廃棄されることがなく、確実に系切換えを行うことができるＡＴＭルータ二重化運転方法が実現可能となるので、各キャリアでは、より信頼性の高いサービスをユーザに提供することが可能となる。
【産業上の利用可能性】
【００４２】
本発明は、上述した本発明の一実施例に限定されるものではなく、二重化構成で運用しているあらゆる種類のＡＴＭ装置、つまり二重化運用を採用しているＡＴＭ通信分野に適用可能である。
【図面の簡単な説明】
【００４３】
【図１】本発明の一実施例による二重化ＡＴＭルータシステムの構成を示すブロック図である。
【図２】図１の回線装置の構成を示すブロック図である。
【図３】図１のルータ装置の構成を示すブロック図である。
【図４】図１の回線装置の動作を示すフローチャートである。
【図５】図１のルータ装置の動作を示すフローチャートである。
【図６】図１のルータ装置の動作を示すフローチャートである。
【符号の説明】
【００４４】
１  回線装置
２，３  ルータ装置
１１  回線送信機能
１２  回線受信機能
１３  ＡＣＴ系送信機能
１４  ＳＢＹ系送信機能
１５  ＴＡＧセル生成部
１６  ＡＣＴ系受信機能
１７  ＳＢＹ系受信機能
２１  受信機能
２２  パケット生成機能
２３  転送先決定機能
２４  ＡＴＭセル分割機能
２５  ＡＴＭセル判断機能
２６  送信機能
２７  ＴＡＧセル検出機能
２８  系切換え制御機能
【図１】
2006060338.tif 000003
【図２】
2006060338.tif 000004
【図３】
2006060338.tif 000005
【図４】
2006060338.tif 000006
【図５】
2006060338.tif 000007
【図６】
2006060338.tif 000008